(57)【要約】【課題】  二重壁構造を採用した冷却室構造において、冷風を倉庫全体に万遍なく巡回させることによって、効率よく冷却を行うことが可能な無風冷却システムを提供する。【解決手段】  断熱性能を備える外壁３と、外壁３に対して一定の冷媒流通空間を確保しつつ外壁３に対向して形成される内壁４とによる二重壁構造によって形成される冷却室構造部２と、冷媒流通空間を区画して冷却媒体が循環可能な複数の流通経路を形成する区画壁５と、流通経路毎に設置されて流通経路に充填される冷却媒体の冷却処理を行う冷却手段６と、流通経路毎に設置されて冷却媒体の循環送出を行う循環ファン７とを備える構成のものとした。【選択図】  図２
2006250508.tif 000002
【特許請求の範囲】
【請求項１】
断熱性能を備える外壁と該外壁に対して一定の冷却媒体流通空間を確保しつつ前記外壁に対向して形成される内壁とによる二重壁構造によって形成される冷却室構造部と、前記冷却媒体流通空間を区画して冷却媒体が循環可能な複数の流通経路を形成する区画壁と、前記流通経路毎に設置されて前記流通経路に充填される冷却媒体の冷却処理を行う冷却手段と、前記流通経路毎に設置されて前記冷却媒体の循環送出を行う循環ファンとを備えることを特徴とする無風冷却システム。
【請求項２】
前記冷却手段または前記循環ファンの少なくとも一方の駆動制御を行う制御手段と、被冷却室内に設置されて前記流通経路毎に対応する被冷却室内の温度検出を行う複数の温度センサとを備え、前記制御手段は、前記温度センサによって検出された温度に応じて、前記冷却手段及び前記循環ファンの駆動制御を前記流通経路毎に別々に行うことを特徴とする請求項１に記載の無風冷却システム。
【発明の詳細な説明】
【技術分野】
【０００１】
外壁と内壁とによる二重壁構造によって構成される冷却室構造部と、循環ファンと、冷却手段とを備えることを特徴とする無風冷却システムに関する。
【背景技術】
【０００２】
従来より、一般的な冷蔵倉庫では、クーラーユニットによって直接庫内に冷風を送り込んで強制的に冷却している。
【０００３】
しかしながら冷風を庫内に直接に送り込むと、庫内に収納された商品、例えば魚や肉等の食料品に冷風が直接当たってしまい、商品が乾燥して劣化するおそれがあるという問題があった。
【０００４】
このため、近年では冷蔵倉庫を外壁と内壁との二重壁構造により構成し、外壁と内壁との間に形成される流通空間に冷風を送り込んで、内壁を介して庫内を輻射冷却するものが提案されている（例えば、特許文献１参照）。
【特許文献１】実開昭６２−１９５０８０号公報
【発明の開示】
【発明が解決しようとする課題】
【０００５】
しかしながら、上述した二重壁構造の冷蔵倉庫では、送り込まれる冷風を万遍なく冷蔵倉庫の流通空間に流すことが困難であり、冷却むらなど冷却性能の低下を招くという問題があった。
【０００６】
本発明は、上記課題に鑑みてなされたものであり、二重壁構造を採用した冷却室構造において、冷風を冷却室まわり全体に万遍なく巡回させることによって、効率よく冷却を行うことが可能な無風冷却システムを提供することを課題とする。
【課題を解決するための手段】
【０００７】
上記課題を解決するために、本発明に係る無風冷却システムは、断熱性能を備える外壁と該外壁に対して一定の冷却媒体流通空間を確保しつつ前記外壁に対向して形成される内壁とによる二重壁構造によって形成される冷却室構造部と、前記冷却媒体流通空間を区画して冷却媒体が循環可能な複数の流通経路を形成する区画壁と、前記流通経路毎に設置されて前記流通経路に充填される冷却媒体の冷却処理を行う冷却手段と、前記流通経路毎に設置されて前記冷却媒体の循環送出を行う循環ファンとを備えることを特徴とする。
【０００８】
また、前記冷却手段または前記循環ファンの少なくとも一方の駆動制御を行う制御手段と、被冷却室内に設置されて前記流通経路毎に対応する被冷却室内の温度検出を行う複数の温度センサとを備え、前記制御手段は、前記温度センサによって検出された温度に応じて、前記冷却手段及び前記循環ファンの駆動制御を前記流通経路毎に別々に行うようにしたことを特徴としている。
【発明の効果】
【０００９】
本発明に係る無風冷却システムによれば、各区画壁によって隣接される流通経路の冷却媒体たる冷気がぶつかり合うことなくスムースに流通経路内を通過して、冷却手段へと循環されため、区画壁を設けない場合に比べて、冷気のぶつかり合い等による送流ロスを減少させることができるので、冷気の循環に必要なエネルギーの効率を高めることが可能となる。
【００１０】
また、流通経路が形成されることによって、冷気を万遍なく流すことができ、庫内の冷却を部分的に偏ることなく行うことができる。
【００１１】
さらに、区画壁が外壁と内壁との間に設けられているので、冷却室構造部の強度の向上を図ることができる。
【００１２】
また、内壁に各流通経路の温度計測を行う温度センサを設置することにより、制御部で、温度センサの検出温度に応じて流通経路別に冷却手段及び冷却ファンの駆動制御を行うことができるので、冷却の必要な冷却手段及び冷却ファンのみを積極的に駆動させることができ、冷却効率を高めることができる。
【発明を実施するための最良の形態】
【００１３】
以下、本発明に係る無風冷却システムを備える冷蔵倉庫の一例について、添付図面を用いて詳細に説明する。
【００１４】
図１に示すように、冷蔵倉庫１は冷却室構造部２を備えている。冷却室構造部２は略箱形状に形成されており、この冷却室構造部２の壁部は、断熱性能を確保した外壁３と、外壁３に対向して形成された内壁４との二重壁構造によって構成されている。内壁４には、熱伝導性の高い素材が用いられている。
この外壁３と内壁４との間には、一定の空間（以下、この空間を流通空間とする。）が確保されており、この流通空間を後述する冷却ファン７の回転等によって誘導される冷却媒体たる冷気が流れる構造となっている（図１、２中の矢印参照）。なお、冷却媒体としては冷却空気以外にも、他の気体やブライン等の液体を使用する場合もある。
【００１５】
流通空間は、図２（ａ）〜図２（ｃ）に示すように、区画壁５によって複数の流通経路に区画されている。例えば、天井面側の壁部においては、図２（ａ）に示すように５本の区画壁５が設けられており、各流通経路の一端部には、冷却手段としてのクーラー６と送風ファン７とがそれぞれ設置されており、前記クーラー６は図示を省略する外部の冷凍機から冷媒が供給される蒸発器で構成してある。
なお、図２（ｂ）、図２（ｃ）中の「ＦＬ」は倉庫の設定基準面を示している。
【００１６】
側壁側の壁部には、図２（ｂ）に示すように、３本の区画壁５が設けられており、この区画壁５により流通経路が葛折りに形成されている。正面側の壁部において図２（ｃ）に示すように区画壁５によって一対の葛折り状の流通経路が形成されている。これらの流通経路は最終的に側壁最下部の流通経路に合流されて背面側の壁部に形成される流通空間を通って、クーラー６に循環される構造となっている。
【００１７】
このように構成された流通経路の各クーラー６及び冷却ファン７を稼働させることにより、各区画壁５によって隣接される流通経路の冷気がぶつかり合うことなくスムースに流通経路内を通過して、クーラー６へと循環される。このため、区画壁５を設けない場合に比べて、冷気のぶつかり合い等による送流ロスを減少させることができるので、冷気の循環に必要なエネルギーの効率を高めることが可能となる。さらに、流通経路が天井面・側面・前面・背面と万遍なく形成されているので、流通空間内に冷気を万遍なく流すことができ、冷蔵倉庫１内の冷却を部分的に偏ることなく実現することができる。また、内壁４を通して万遍なく冷蔵倉庫１内が冷却されるので、輻射冷却により被冷却室８内を均一に冷却させることができる。
【００１８】
さらに、区画壁５が外壁３と内壁４との間に略均等に設けられているので、冷却室構造部２の強度の向上を図ることができる。
【００１９】
なお、図２（ａ）〜図２（ｃ）においては、クーラー６及び冷却ファン７を、各流通経路に１組ずつ設置したが、必ずしもクーラー６及び冷却ファン７は１つずつである必要はなく、複数個設置するものであってもよい。例えば、各流通経路において経路の曲がり角となる部分に冷却ファン７をさらに設置することによって、曲がり角部分に滞りやすい冷気をより積極的に送出させて冷気の循環を円滑にすることが可能となる。
【００２０】
また、区画壁５の設置数は上述した個数に限定されるものではなく、必要に応じて増減させることが可能である。
【００２１】
さらに、各流通経路の温度計測を行う温度センサを、内壁３に設置する構成としてもよい。
【００２２】
図３に示す冷蔵倉庫１は、各流通経路に対応する被冷却室８内の適所に、温度センサ９を設置するとともに、この温度センサ９の検出温度に応じて各クーラー６及び冷却ファン７の駆動制御を行う制御部１０（温度指示調節計：ＴＩＣ（Temperature indicating controller））がさらに設けられている。
【００２３】
制御部１０は、あらかじめ設定された被冷却室内の設定温度（所定温度）に保つためにクーラー６及び冷却ファン７の駆動制御を行う。この制御を行うに当たって、制御部１０は、各流通経路に対応して設置された温度センサ９より常時流通経路に対応する被冷却室８内の温度を検出する。そして、検出された温度が設定温度よりも高い温度であった場合には、この高い温度が検出された温度センサ９に対応する流通経路のクーラー６及び冷却ファン７を駆動させて、当該流通経路の冷却作用を高める処理を行う。このように、流通経路毎に対応する被冷却室内の温度状態を常時検出し、検出された温度に応じて対応する流通経路のクーラー６及び冷却ファン７を制御することによって、無用なクーラー６及び冷却ファン７の稼働を低減させ、冷却の必要なクーラー６及び冷却ファン７のみを積極的に駆動させることができるので、冷却効率を高めることができ、したがってランニングコストの低減も期すことができる。
【００２４】
なお、便宜上、図３には温度センサ９が３個しか示されていないが、温度センサ９の設置数は３個に限定されるものではない。また、温度センサ９の設置箇所は、内壁の天井面側であってもよいし、正面側、側面側、背面側であってもよい。さらに、各流通経路に対応して設置される温度センサ９は、各流通経路に対して１つずつに限定されるものではなく、１つの流通経路に対して複数の温度センサ９を設置してもよい。また、制御部１０は、冷蔵倉庫１の外部に設置されている場合に限定されず、冷却室構造部２内に設置する場合もある。
【００２５】
以上、本発明に係る無風冷却システムを、図面を用いて説明したが、本発明に係る無風冷却システムは上述したものに限定されるものではなく、いわゆる当業者であれば，特許請求の範囲に記載された範疇内において，各種の変更または修正を行いうる内容についても、当然に本発明の技術的範囲に属するものである。
【図面の簡単な説明】
【００２６】
【図１】本発明に係る無風冷却システムを備える冷蔵倉庫を示した斜視図である。
【図２】（ａ）は図１に示す冷蔵倉庫の天井面断面を示し、（ｂ）は側面断面を示し、（ｃ）は正面断面を示した図である。
【図３】図１に示した冷蔵倉庫に対して、温度センサと制御部とを設置した様子を示す概略構成図である。
【符号の説明】
【００２７】
１  冷蔵倉庫
２  冷却室構造部
３  外壁
４  内壁
５  区画壁
６  クーラー（冷却手段）
７  送風ファン
８  被冷却室
９  温度センサ
１０  制御部（制御手段）
【図１】
2006250508.tif 000003
【図２】
2006250508.tif 000004
【図３】
2006250508.tif 000005